(57)【特許請求の範囲】
【請求項１】
各画素位置に対応して配置され電子回路要素が作り込まれた複数の微細構造物を含む複数の画素と、それら各画素部での光学特性を制御するための信号を入力可能な端子部と、を備えた複数の表示ブロックを、水平方向及び垂直方向の少なくとも一方に連続するように繋ぎ合わせるとともに、前記端子部を介して前記表示ブロック毎に並列に信号が入力されるように構成され、
前記表示ブロック内で水平方向に延びる配線及び垂直方向に延びる配線のそれぞれの導通している端子部を各表示ブロックの一辺に集めることにより前記端子部を前記表示ブロックの一辺のみに設け、
前記微細構造物内に、互いに非接触に交差する部分を含む前記水平方向に延びる配線及び垂直方向に延びる配線の一部分と、前記水平方向に延びる配線及び垂直方向に延びる配線のうちの一方に導通し、そのうちの他方と同方向に微細構造物から引き出される第１の方向変換用配線と、前記微細構造物内の他の配線には導通せず、前記第１の方向変換用配線と同方向で隣り合うように微細構造物から引き出される第２の方向変換用配線と、を設け、
水平方向で隣り合った微細構造物の前記水平方向に延びる配線同士を接続し、垂直方向で隣り合った微細構造物の前記垂直方向に延びる配線同士を接続し、さらに、隣り合った微細構造物の前記第１の方向変換用配線及び前記第２の方向変換用配線を選択的に接続することにより、前記水平方向に延びる配線及び前記垂直方向に延びる配線のそれぞれの導通している端子部を前記表示ブロックの一辺に集めたことを特徴とする表示体。
【請求項２】
各画素位置に対応して配置され電子回路要素が作り込まれた複数の微細構造物と有機ＥＬ素子とを含む複数の画素と、それら各画素部での発光状態を制御するための信号を入力可能な端子部と、を備えた複数の表示ブロックが、透明基板に、表示面がその透明基板側を向いて水平方向及び垂直方向の少なくとも一方に連続するように繋ぎ合わされて貼り付けられており、前記端子部を介して前記表示ブロック毎に並列に信号が入力されるように構成され、
前記表示ブロック内で水平方向に延びる配線及び垂直方向に延びる配線のそれぞれの導通している端子部を各表示ブロックの一辺に集めることにより前記端子部を前記表示ブロックの一辺のみに設け、
前記微細構造物内に、互いに非接触に交差する部分を含む前記水平方向に延びる配線及び垂直方向に延びる配線の一部分と、前記水平方向に延びる配線及び垂直方向に延びる配線のうちの一方に導通し、そのうちの他方と同方向に微細構造物から引き出される第１の方向変換用配線と、前記微細構造物内の他の配線には導通せず、前記第１の方向変換用配線と同方向で隣り合うように微細構造物から引き出される第２の方向変換用配線と、を設け、
水平方向で隣り合った微細構造物の前記水平方向に延びる配線同士を接続し、垂直方向で隣り合った微細構造物の前記垂直方向に延びる配線同士を接続し、さらに、隣り合った微細構造物の前記第１の方向変換用配線及び前記第２の方向変換用配線を選択的に接続することにより、前記水平方向に延びる配線及び前記垂直方向に延びる配線のそれぞれの導通している端子部を前記表示ブロックの一辺に集めたことを特徴とする表示体。
【請求項３】
前記端子部を介して前記表示ブロック毎に並列に電源が供給されるようになっていることを特徴とする請求項１または２に記載の表示体。
【請求項４】
前記端子部を、前記表示ブロックの外縁部分よりも裏面側に位置するように設けたことを特徴とする請求項１乃至請求項３のいずれかに記載の表示体。
【請求項５】
前記微細構造物内に、前記画素の駆動回路が作り込まれていることを特徴とする請求項１乃至請求項４のいずれかに記載の表示体。
【請求項６】
請求項１乃至請求項５のいずれかに記載の表示体を備えたことを特徴とする電子機器。
【発明の詳細な説明】
【０００１】
【発明の属する技術分野】
この発明は、コンピュータのディスプレイ装置やテレビジョン受像機等に利用可能な表示体及びそのような表示体に好適な電子機器に関し、特に、精細でしかも大型のディスプレイ装置を容易に実現できるようにしたものである。
【０００２】
【従来の技術】
従来から、ＣＲＴや液晶表示体等がコンピュータのディスプレイ装置等に利用されている。また、建物の壁面等に設けられる大型のディスプレイ装置には、発光ダイオードを利用した表示体が適用されることも多い。
さらに、屋外に設置されるディスプレイ装置として、複数のＣＲＴ受像機を横方向及び縦方向に積み重ねることにより、全体として大型のディスプレイ装置を実現するようにしたものもある。
【０００３】
【発明が解決しようとする課題】
ＣＲＴや液晶表示体等の従来の構成では、大型のディスプレイ装置を実現しようとする場合、表示体の表示面そのものの寸法を大型にする、つまり一つの表示体の寸法を所望の大きさとすることが一般的であったが、かかる手法では、表示体の所望の寸法に対応して製造ラインの各部の寸法も大きくしなければならず、また、製造途中の半製品の取り扱いも困難であるため、製造可能な寸法には自ずと限界がある。
【０００４】
これに対し、発光ダイオードを利用した大型ディスプレイであれば、個別に製造された発光ダイオードを組み合わせてディスプレイとする構造であるから、大型のディスプレイを製造するからといってそれまでの製造ラインの各部の寸法を大きくする必要もなく、大型のディスプレイを製造する手法としては有利な点もある。しかし、発光ダイオードを利用した実際の大型ディスプレイでは、遠方から見ることを前提としているため、個々の発光ダイオードの径が大きくて画素のピッチが粗い。従って、家庭用の大型ディスプレイのように近くで見る用途には画素が粗すぎて適さない。
【０００５】
さらに、複数のＣＲＴ受像機を積み重ねて大型のディスプレイ装置とする構成では、画像の精細さは得られるものの、ＣＲＴ受像機の枠部分がそれらＣＲＴ受像機同士の間に存在してしまうから、その部分で映像が分断されてしまうという欠点がある。
本発明は、このような従来の技術が有する未解決の課題に着目してなされたものであって、映像が精細でしかも大型化に適している表示体の構造を提供すること、並びにそのような表示体に好適な電子機器の構造を提供することを目的としている。
【０００６】
【課題を解決するための手段】
上記目的を達成するために、本発明である表示体は、複数の画素と、それら各画素部での光学特性を制御するための信号を入力可能な端子部と、を備えた複数の表示ブロックを、繋ぎ合わせるとともに、前記端子部を介して前記表示ブロック毎に並列に信号が入力されるようにした。なお、ここで言う「光学特性」とは、例えば液晶表示装置における液晶の透過率などのことを指す。
【０００７】
また、本発明である表示体は、複数の画素と、それら各画素部での発光状態を制御するための信号を入力可能な端子部と、を備えた複数の表示ブロックを、水平方向及び垂直方向の少なくとも一方に連続するように繋ぎ合わせるとともに、前記端子部を介して前記表示ブロック毎に並列に信号が入力されるようにした。
【０００８】
上記目的を達成するために、本発明である表示体は、有機ＥＬ素子を含む複数の画素と、それら各画素部での発光状態を制御するための信号を入力可能な端子部と、を備えた複数の表示ブロックが、透明基板に、表示面がその透明基板側を向いて貼り付けられており、前記端子部を介して前記表示ブロック毎に並列に信号が入力されるようにした。
【０００９】
また、本発明は、上記本発明である表示体において、前記端子部を介して前記表示ブロック毎に並列に電源が供給されるようにした。
そして、本発明は、上記本発明である表示体において、前記表示ブロック内で水平方向に延びる配線及び垂直方向に延びる配線のそれぞれの導通している端部を、各表示ブロックの一辺に集めることにより、前記端子部を前記表示ブロックの一辺のみに設けた。
【００１０】
本発明は、上記本発明である表示体において、前記端子部を、前記表示ブロックの外縁部分よりも裏面側に位置するように設けた。
さらに、本発明は、上記本発明である表示体において、前記表示ブロックは、電子回路要素が作り込まれた複数の微細構造物を基板上に配設した構成を有する。
【００１１】
本発明は、上記本発明である表示体において、前記微細構造物内に、前記画素の駆動回路を作り込んだ。
一方、上記目的を達成するために、本発明は、水平方向に延びる配線及び垂直方向に延びる配線を備えた電子機器において、前記水平方向に延びる配線及び垂直方向に延びる配線が交差する位置に対応して基板上に配設される複数の微細構造物を備え、前記微細構造物内に、互いに非接触に交差する部分を含む前記水平方向に延びる配線及び垂直方向に延びる配線の一部分と、前記水平方向に延びる配線及び垂直方向に延びる配線のうちの一方に導通し、そのうちの他方と同方向に微細構造物から引き出される第１の方向変換用配線と、微細構造物内の他の配線には導通せず、前記第１の方向変換用配線と同方向で隣り合うように微細構造物から引き出される第２の方向変換用配線と、を設け、水平方向で隣り合った微細構造物の前記水平方向に延びる配線同士を接続し、垂直方向で隣り合った微細構造物の前記垂直方向に延びる配線同士を接続し、さらに、隣り合った微細構造物の前記第１の方向変換用配線及び前記第２の方向変換用配線を選択的に接続することにより、前記水平方向に延びる配線及び前記垂直方向に延びる配線のそれぞれの導通している端部を、前記基板の一辺に集めた。
【００１２】
上記目的を達成するために、本発明は、上記本発明である電子機器において、駆動回路が作り込まれた複数の微細構造物を基板上に配設し、前記微細構造物間を配線で接続し、さらに、その配線の端部に外部から信号を供給可能とした。
【００１３】
ここで、本発明にあっては、複数の表示ブロックを繋ぎ合わせて表示体が構成されるため、任意の寸法の表示体を容易に実現することができるし、各表示ブロックは連続するように繋ぎ合わせているから、表示ブロック間において映像が不連続になるようなことがない。しかも各表示ブロックには、端子部を介して表示ブロック毎に並列に信号が入力されるようになっているから、表示体の画素数が多くなっても走査が間に合わなくなるようなことがない。
【００１４】
また、本発明にあっては、画素が有機ＥＬ (electroluminescence）素子を含み、有機ＥＬ素子からの発光が外部に照射される表示面（一般的に、有機ＥＬ素子の陰極とは逆側の面）が透明基板側を向くように、各表示ブロックが透明基板に貼り付けられているため、透明基板を通じて各表示ブロックからの発光が外部に照射される。そして、各表示ブロックは、透明基板に貼り付けられることにより互いに連続するようになり、透明基板の裏面（表示ブロック貼付側とは逆側の面）側から見ることができる画像が各表示ブロック間で不連続になるようなことがないし、任意の寸法の表示体を容易に実現することができる。しかも、上記の発明と同様に、各表示ブロックに端子部を介して並列に信号が入力されるようになっているから、表示体の面積が大きくなっても走査が間に合わなくなるようなことがない。
【００１５】
さらに、本発明にあっては、表示ブロック毎に並列に電源が供給されるから、表示体全体に一括して電源を供給する構成とは異なり、表示体の面積が大きくなっても一部の画素において電源が不足するような事態を招かないで済む。
そして、本発明にあっては、端子部を表示ブロックの一辺のみに設けたため、表示ブロック同士を隙間なく連続させる上で都合がよい。即ち、通常の表示体にあっては、水平方向に延びる配線の端部と、垂直方向に延びる配線の端部とは、隣り合った二辺に分かれて位置しているため、同じような形状の表示体を連続させようとすると、配線の端部が邪魔になる可能性がある。これに対し、この発明では、表示ブロックの三辺の縁部分からは配線の端部を引き出す必要がないから、表示ブロックを一方向に連続するように繋ぎ合わせることが比較的容易に行える。
【００１６】
また、本発明であれば、端子部が表示ブロックの裏面側（表示面とは逆側の面）に位置している、換言すれば、端子部が表示ブロックの裏側にオフセットしているため、表示ブロックの画素が配設された部分の外縁全域が露出し、隣り合った表示ブロックの縁部分と密に接触して表示ブロック同士を連続させることができる。
【００１７】
なお、この発明においては、端子部内に、画素の駆動回路も内蔵させる構成とすれば、表示ブロックの表示面全体に画素を配置させることも容易になり、各表示ブロック同士を連続させた場合にその境目において画素の間隔が他の部分よりも極端に広がるようなことが避けられる。
一方、本発明は、微細構造物を利用して表示ブロックを構成しているため、表示ブロックの面積に対して電子回路の占める割合が小さい場合にも、半導体材料等に大きな無駄を発生するようなことを避けられる。
【００１８】
微細構造物内に作り込まれる電子回路要素は、電子回路を構成するための要素であれば何でもよく、トランジスタ、コンデンサ、抵抗、配線、等である。特に、画素の駆動回路が必要な表示体の場合には、そのような電子回路要素を組み合わせて画素の駆動回路を微細構造物に作り込むことも可能である。
なお、微細構造物（microstructure）の詳細については、米国特許第５９０４５４５号明細書、米国特許第５８２４１８６号明細書、米国特許第５７８３８５６号明細書、米国特許第５５４５２９１号明細書等に詳しい。
【００１９】
また、本発明では、微細構造物内に画素の駆動回路を作り込んだため、表示体の周辺部に配線の駆動回路を別途設ける必要がなくなる。
そして、本発明にあっては、微細構造物内に第１の方向変換用配線及び第２の方向変換用配線を設け、隣り合った微細構造物同士で、それら第１の方向変換用配線及び第２の方向変換用配線を選択的に接続するだけで、水平方向に延びる配線及び垂直方向に延びる配線のそれぞれの導通している端部を、基板の一辺に集めることができる。
【００２０】
つまり、上記の発明であれば、水平方向に延びる配線及び垂直方向に延びる配線の非接触に交差する部分は、微細構造物内に作り込んでおり、第１の方向変換用配線及び第２の方向変換用配線も微細構造物内に作り込んでおり、第１の方向変換用配線及び第２の方向変換用配線を隣り合った状態で微細構造物から引き出しているので、基板上で配線同士を非接触に交差させる必要がない、より具体的には、基板上の配線を多層配線とする必要がないのである。
【００２１】
なお、本発明を適用可能な電子機器は、水平方向に延びる配線及び垂直方向に延びる配線を備えた電子機器であればよく、例えば、上に記載したような表示体（有機ＥＬ表示体、液晶表示体等）を備えた各種機器、センサーアレイ、タッチパッド、指紋認識装置、ディジタルカメラ等が考えられる。
そして、本発明にあっては、微細構造物内に駆動回路を作り込んでいるため、電子機器の周辺部に駆動回路を別途設ける必要がなくなる。
【００２２】
また、本発明を適用可能な電子機器としては、例えば、上に記載したような表示体（有機ＥＬ表示体、液晶表示体等）を備えた各種機器、センサーアレイ、タッチパッド、指紋認識装置、ディジタルカメラ等が考えられる。
【００２３】
【発明の実施の形態】
以下、本発明の実施の形態を図面に基づいて説明する。
図１乃至図３は、本発明の一実施の形態を示す図であって、図１は、本発明に係る表示体１の全体構成を示しており、（ａ）は表示体１０の背面図、（ｂ）は表示体１０の底面図である。
【００２４】
即ち、本実施の形態の表示体１０は、複数（この例では、３つ）の表示ブロック２０を垂直方向に連続するように繋ぎ合わせて構成されている。
各表示ブロック２０は、有機ＥＬ素子を利用して発光する多数の画素をマトリックス状に全面に配置してなる平面長方形の表示部２１と、表示部２１の短辺のうちの一方に連続して設けられ、各画素に対する外部からの信号や電源を中継するための端子部２２と、から構成されている。なお、外部信号は、電気信号であってもよいし、或いは、光信号であってもよいが、後者の場合には、端子部２２内に光電変換素子を内蔵させる必要がある。
【００２５】
そして、各表示ブロック２０は、表示部２１の長辺同士が接触してそれらが垂直方向に連続するように、合成樹脂製或いはガラス製の透明基板１００上に、透明の接着剤１０１を介して貼り付けられている。但し、表示部２１の表示面（有機ＥＬ素子における発光が照射される側の面）を透明基板１００側に向けていて、これにより、図１（ｂ）に示すように、表示部２１からの光は、透明基板１００の表面から外部に照射されるようになっている。
【００２６】
ここで、表示ブロック２０の構成を、図２及び図３を伴って詳細に説明する。なお、図２は表示ブロック２０の基本構成を示す概略平面図であり、実際には、表示ブロック２０は垂直方向及び水平方向のそれぞれに多数の画素を備えるのであるが、図示及び説明の都合上、図２に示す表示ブロック２０は、画素数を１６（＝４×４）としている。
【００２７】
本実施の形態の表示ブロック２０の表示部２１は、各画素位置に対応して、電子回路の要素が作り込まれた微細構造物２３、…、２３が配置されている。微細構造物２３、…、２３は、半導体ウェハ上に公知のフォトリソプロセスにより製造されたものを、切り離すことにより製造されるものであって、上記の米国特許第５９０４５４５号明細書、米国特許第５８２４１８６号明細書、米国特許第５７８３８５６号明細書、米国特許第５５４５２９１号明細書等に詳しい。
【００２８】
そして、その微細構造物２３、…、２３を、表示ブロック２０の基板２４に形成された凹部（図示せず）に嵌め込み、基板２４上に後述のような配線を形成し、有機ＥＬ素子の発光部を形成することにより、表示部２１が形成されるようになっている。
各微細構造物２３内に形成された電子回路は、図３に示すように、スイッチングトランジスタ２００と、電流制御トランジスタ２０１と、保持容量２０２と、を備え、スイッチングトランジスタ２００は、垂直方向に延びる信号線２０３と保持容量２０２との間を断続するトランジスタであって、そのゲートは水平方向に延びる走査線２０４に接続されている。信号線２０３及び走査線２０４は、互いに非接触である必要があるため、微細構造物２３内では、多層配線構造となっていて、それら信号線２０３及び走査線２０４が互いに非接触に交差する部分はその多層配線を利用して実現されている。なお、後述の各配線同士を非導通とする構成のうち交差する必要がある部分の構造も、同様に多層配線を利用して実現されている。
【００２９】
そして、電流制御トランジスタ２０１は、共通給電線２０５と、基板２４上に形成される画素電極２５との間の接続状態を制御するトランジスタであって、そのゲートには、保持容量２０２に保持された電位が供給されるようになっている。なお、保持容量２０２の逆側は、共通給電線２０５に接続されている。また、画素電極２５と、同じく基板２４上に形成された対向電極２６との間に、画素としての有機ＥＬ素子２７が形成される。
【００３０】
さらに、各微細構造物２３内には、走査線２０４と平行に走るように、第１の方向変換用配線２０６及び第２の方向変換用配線２０７が、隣り合った位置関係で設けられている。但し、第１の方向変換用配線２０６は、信号線２０３とのみ導通し、その他の配線等とは非導通である。また、第２の方向変換用配線２０７は、いずれの配線にも導通していない。
【００３１】
そして、信号線２０３、走査線２０４、共通給電線２０５、第１の方向変換用配線２０６及び第２の方向変換用配線２０７の両端部、並びに電流制御トランジスタ２０１の共通給電線２０５とは逆側のソース・ドレイン部分は、微細構造物２３の周縁部等に形成されたパッド部２０８に接続されている。
図２に戻って、各微細構造物２３の各パッド部２０８（なお、図２ではパッド２０８の図示は省略している）同士は、基板２４上に形成される配線（破線、一点鎖線、二点鎖線で示す）を介して、所定の組み合わせで導通するようになっている。
【００３２】
具体的には、垂直方向に並ぶ各微細構造物２３同士は、それらの信号線２０３同士が導通するように、各微細構造物２３間の基板２４上を垂直方向に延びる配線３１を介して接続され、水平方向に並ぶ各微細構造物２３同士は、それらの走査線２０４同士が導通するように、各微細構造物２３間の基板２４上を水平方向に延びる配線３２を介して接続されている。かかる接続を行う結果、各微細構造物２３内の走査線２０４、信号線２０３並びに基板２４上の配線３２、３１によって、基板２４全体に水平方向に延びる走査線及び垂直方向に延びる信号線が設けられたことになる。なお、最右端に位置する微細構造物２３の走査線２０４の右端部は、配線３２を介して、端子部２２内に設けられたＸＹドライバ回路２２Ａの走査線（Ｘ方向）駆動部分に接続されている。
【００３３】
また、垂直方向に並ぶ各微細構造物２３同士は、それらの共通給電線２０５同士が導通するように、各微細構造物２３間の基板２４上を垂直方向に延びる配線３３（一点鎖線で示す）を介して接続され、最上段の微細構造物２３の共通給電線２０５の上端側は、基板２４の上部縁部分を水平方向に延びる配線３４（一点鎖線で示す）に接続され、さらに、その配線３４の端部は端子部２２内に設けられた電源接続用端子２２Ｂに接続されている。
【００３４】
そして、水平方向に並ぶ各微細構造物２３の間では、第１の方向変換用配線２０６及び第２の方向変換用配線２０７同士が、配線３５（二点鎖線で示す）を介して選択的に接続されている。即ち、各微細構造物２３に、上段側から垂直方向に１、２、３、４、左側から水平方向に１、２、３、４という具合に番号を振ったと仮定すると、その垂直方向の番号と水平方向の番号とが一致する微細構造物（つまり、基板２４上で一方の対角線上に位置する微細構造物）２３については第１の方向変換用配線２０６を選択し、それよりも端子部２２側に位置する他の微細構造物２３については第２の方向変換用配線２０７を選択し、それら選択された第１の方向変換用配線２０６及び第２の方向変換用配線２０７同士が、配線３５（二点鎖線で示す）を介して接続されている。なお、第１の方向変換用配線２０６が選択された微細構造物２３よりも端子部２２とは逆側に位置する微細構造物２３については、第１の方向変換用配線２０６及び第２の方向変換用配線２０７のいずれも選択されずそれらは未活用となる。
【００３５】
さらに、最右端に位置する微細構造物２３の第１の方向変換用配線２０６及び第２の方向変換用配線２０７のうち上記の手順で選択された配線の右端部は、配線３５を介して、ＸＹドライバ回路２２Ａの信号線（Ｙ方向）駆動部分に接続されている。
このように、本実施の形態における各表示ブロック２０は、微細構造物２３内に設けられた第１の方向変換用配線２０６及び第２の方向変換用配線２０７を利用することにより、通常は二辺に分かれて配置される走査線及び信号線のドライバ回路を、表示部２１の一辺のみに設けている。また、電源端子２２Ｂも端子部２２内に設けることにより、外部信号及び電源の全てを、表示部２１の一辺側からのみ供給できるようにしている。
【００３６】
このため、ドライバ回路が二辺に分かれて設けられる構成に比べて、表示ブロック２０をコンパクトにまとめることができる。しかも、本実施の形態では、微細構造物２３を利用し、各配線の非接触に交差させる必要のある部分は、その微細構造物２３内に作り込んでしまっているため、表示部２１の基板２４上に設ける配線を多層にする必要がないという利点もある。
【００３７】
そして、そのように構成された複数の表示ブロック２０を、図１に示したように、一方向に連続するように透明基板１００に貼り付けるとともに、各表示ブロック２０毎に並列に外部信号及び電源を供給するようにしているから、大型の表示体１０を容易に実現することができる。即ち、本実施の形態の表示体１０であれば、個々の表示ブロック２０の大きさは小さくてもよいから、従来の有機ＥＬ素子ディスプレイの製造ラインにおける各装置の寸法を大きくする必要がない。換言すると、要は製造工程の終盤で表示ブロック２０を組み合わせて大型の表示体１０を製造すればよいから、製造ラインの多くの部分は小型の表示体を製造する設備そのままであっても、大型の表示体１を製造することが可能なのである。
【００３８】
しかも、各表示ブロック２０毎に並列に外部信号及び電源を供給するようにしているから、表示体１０が大型になっても、走査が間に合わなくなったり、一部において電源が不足するような事態も避けられる。
さらに、本実施の形態のように、端子部２２を表示部２１の一辺のみに設けた構成であれば、各表示ブロック２０間に画素が存在しない幅広の枠部分等が存在し、画像が分断されるようなこともない。
【００３９】
また、本実施の形態の方式で大型の表示体１０を製造した場合、発光ダイオードを利用した表示体のように画素が粗くなることがない、つまり繊細な画像が描画できるから、家庭用の大型ディスプレイのように比較的近くで見る用途にも好適である。例えば、大型のディスプレイの全体には画像を描画するとともに、一部に文字情報を出力するような場合にも、その両方を鮮明に描くことが可能となる。
【００４０】
なお、本実施の形態では、いわゆるアクティブ駆動形式の有機ＥＬ素子を適用した場合について説明したが、パッシブ駆動形式であっても同様に適用可能である。特に、従来のパッシブ駆動の場合、走査線の数に上限があるため大型の表示体１０を実現することは困難であったが、本実施の形態のような構成を採用すれば、パッシブ駆動であっても大型の表示体を容易に実現することができる。
【００４１】
図４は、本発明の第２の実施の形態を示す図であって、（ａ）は表示体１０の背面図、（ｂ）は表示体１０の底面図である。なお、上記第１の実施の形態と同様の構成には、同じ符号を付し、その重複する説明は省略する。
即ち、本実施の形態では、表示ブロック２０を、垂直方向及び水平方向の両方に連続させることにより、さらに大型の表示体１０を実現できるようにしたものである。そして、基本的な構成は、上記第１の実施の形態と同様であるが、異なるのは、各表示ブロック２０の端子部２２を、表示部２１の外縁部分よりも裏面側（透明基板１００に接着される側とは逆側）に位置するように、オフセットさせている点である。このような工夫を施すことにより、表示部２１の外周部全域が露出することになるから、表示ブロック２０を、垂直方向のみならず、水平方向にも隙間なく連続させることができる。
【００４２】
よって、本実施の形態の構成であれば、より大型の表示体１０を容易に実現することができる。その他の作用効果等は、上記第１の実施の形態と同様である。
図５は、本発明の第３の実施の形態を示す図であり、（ａ）は外部信号がアナログ信号の場合、（ｂ）は外部信号がディジタル信号の場合である。
即ち、本実施の形態では、上記第１の実施の形態や第２の実施の形態では端子部２２内に設けていたＸＹドライバ回路２２Ａを省略し、端子部２２内には配線との接続端子のみを設ける一方で、微細構造物２３内にドライバ回路２３Ａをも作り込むようにしたものである。
【００４３】
かかる構成により、表示ブロック２０の外周部にドライバ回路を作る必要がなくなるから、端子部２２内には配線の接続端子のみを設ければよく従ってそれが小型になり、その結果、上記第１の実施の形態や第２の実施の形態で示したような表示ブロック２０を連続させる構成を採用する上でより有利となる。
【００４４】
なお、上記各実施の形態では、本発明に係る表示体を、有機ＥＬ素子からなる画素を備えた表示体１０に適用した場合について説明したが、これに限定されるものではなく、液晶表示装置、電気泳動表示装置、プラズマディスプレイ等の自発光型表示装置にも適用可能である。さらには、図２に示したような信号線及び走査線の両方を一辺に集める構成や、図５に示したような駆動回路を微細構造物２３内に作り込んでしまう構成は、例えば、センサーアレイ、タッチパッド、指紋認識装置、ディジタルカメラ等の電子機器にも適用可能である。
【００４５】
また、上記実施の形態では、垂直方向に延びる信号線の方向を水平方向に変換するようにしているが、これに限定されるものではなく、逆に、水平方向に延びる走査線の方向を垂直方向に変換することにより、信号線及び走査線の両方を一辺に集めるようにしても良い。
【００４６】
＜電子機器＞
次に、上述した電気光学装置の一例として有機ＥＬ表示体を具体的な電子機器に用いた例のいくつかについて説明する。
【００４７】
＜その１：モバイル型コンピュータ＞
まず、この実施形態に係る有機ＥＬ表示体を、モバイル型のパーソナルコンピュータに適用した例について説明する。図６は、このパーソナルコンピュータの構成を示す斜視図である。図において、パーソナルコンピュータ１１００は、キーボード１１０２を備えた本体部１１０４と、表示ユニット１１０６とから構成されている。表示ユニット１１０６は、有機ＥＬ表示パネル１００を有している。
【００４８】
＜その２：携帯電話＞
次に、有機ＥＬ表示体を、携帯電話の表示部に適用した例について説明する。図７は、この携帯電話の構成を示す斜視図である。図において、携帯電話１２００は、複数の操作ボタン１２０２のほか、受話口１２０４、送話口１２０６とともに、上述した有機ＥＬ表示パネル１００を備えるものである。
【００４９】
＜その３：ディジタルスチルカメラ＞
さらに、有機ＥＬ表示体をファインダに用いたディジタルスチルカメラについて説明する。図８は、このディジタルスチルカメラの構成を示す斜視図であるが、外部機器との接続についても簡易的に示すものである。
【００５０】
通常のカメラは、被写体の光像によってフィルムを感光するのに対し、ディジタルスチルカメラ１３００は、被写体の光像をＣＣＤ（Charge Coupled Device）などの撮像素子により光電変換して撮像信号を生成するものである。ここで、ディジタルスチルカメラ１３００におけるケース１３０２の背面には、上述した有機ＥＬ表示パネル１００が設けられ、ＣＣＤによる撮像信号に基づいて、表示を行う構成となっている。このため、有機ＥＬ表示パネル１００は、被写体を表示するファインダとして機能する。また、ケース１３０２の観察側（図においては裏面側）には、光学レンズやＣＣＤなどを含んだ受光ユニット１３０４が設けられている。
【００５１】
ここで、撮影者が有機ＥＬ表示パネル１００に表示された被写体像を確認して、シャッタボタン１３０６を押下すると、その時点におけるＣＣＤの撮像信号が、回路基板１３０８のメモリに転送・格納される。また、このディジタルスチルカメラ１３００にあっては、ケース１３０２の側面に、ビデオ信号出力端子１３１２と、データ通信用の入出力端子１３１４とが設けられている。そして、図に示されるように、前者のビデオ信号出力端子１３１２にはテレビモニタ１４３０が、また、後者のデータ通信用の入出力端子１３１４にはパーソナルコンピュータ１４３０が、それぞれ必要に応じて接続される。さらに、所定の操作によって、回路基板１３０８のメモリに格納された撮像信号が、テレビモニタ１４３０や、パーソナルコンピュータ１４４０に出力される構成となっている。
【００５２】
なお、電子機器としては、図６のパーソナルコンピュータや、図７の携帯電話、図８のディジタルスチルカメラの他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示部として、上述した表示装置が適用可能なのは言うまでもない。
【００５３】
【発明の効果】
以上説明したように、本発明によれば、表示ブロックを水平方向及び垂直方向の少なくとも一方に連続させて精細でしかも大型の表示体を容易に実現できるという効果がある。
また、本発明によれば、微細構造物内に第１の方向変換用配線および第２の方向変換用配線を設け、それらを選択的に接続するようにしたから、水平方向に延びる配線及び垂直方向に延びる配線を容易に一辺に集めることができるという効果がある。
【００５４】
さらに、本発明によれば、微細構造物内に駆動回路を作り込んだため、基板の周囲に駆動回路を別途設けなくて済むという効果がある。
【図面の簡単な説明】
【図１】  本発明の第１の実施の形態の構成を示す図である。
【図２】  表示ブロックの基本構成を示す概略構成図である。
【図３】  微細ブロックの構成を示す等価回路図である。
【図４】  本発明の第２の実施の形態の構成を示す図である。
【図５】  本発明の第３の実施の形態の構成を示す図である。
【図６】  本発明の電子機器の一例であるパーソナルコンピュータの構成を示す斜視図である。
【図７】  同電子機器の一例である携帯電話の構成を示す斜視図である。
【図８】  同電子機器の一例であるディジタルスチルカメラの背面側の構成を示す斜視図である。
【符号の説明】
１０        表示体
２０        表示ブロック
２１        表示部
２２        端子部
２３        微細構造物
２４        基板
２７        有機ＥＬ素子
３１〜３５  配線
１００      透明基板
１０１      接着層
２０３      信号線
２０４      走査線
２０５      共通給電線
２０６      第１の方向変換用配線
２０７      第２の方向変換用配線
【図１】
0003818093.tif 000002
【図２】
0003818093.tif 000003
【図３】
0003818093.tif 000004
【図４】
0003818093.tif 000005
【図５】
0003818093.tif 000006
【図６】
0003818093.tif 000007
【図７】
0003818093.tif 000008
【図８】
0003818093.tif 000009